【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
コア材料及びコア材料に共有結合していない抗菌性ＬｂＬコーティングを含む眼用デバイスであって、抗菌性ＬｂＬコーティングが、
（ａ）高分子電解質ＬｂＬコーティング及び１以上の抗菌性ペプチドのペプチド層
（ここで、高分子電解質ＬｂＬコーティングが、
（ｉ）第一のポリイオン材料の少なくとも１の層、又は
（ii）第一のポリイオン材料の少なくとも１の層及び第一のポリイオン材料の電荷と反対の電荷を有する第二のポリイオン材料の少なくとも１の層からなり、
前記第一及び第二のポリイオン材料が、互いに独立に、反応部位を提供する官能基を有し、かつ１以上の抗菌性ペプチドのペプチド層が、反応部位を介してＬｂＬコーティングに共有結合している）、又は
（ｂ）正に荷電したポリイオン材料と１以上の抗菌性ペプチドとを含む混合物の１のカチオン層及び負に荷電したポリイオン材料の１のアニオン層からなる、少なくとも１の二重層、
を含み、
前記１以上の抗菌性ペプチドが、Ｌｙｓ−Ｔｒｐ−Ｌｙｓ−Ｌｅｕ−Ｐｈｅ−Ｌｙｓ−Ｌｙｓ−Ｉｌｅ−Ｇｌｙ−Ａｌａ−Ｖａｌ−Ｌｅｕ−Ｌｙｓ−Ｖａｌ−Ｌｅｕ−ＣＯＯＨ、Ｌｙｓ−Ｔｒｐ−Ｌｙｓ−Ｌｅｕ−Ｐｈｅ−Ｌｙｓ−Ｌｙｓ−Ｉｌｅ−Ｇｌｙ−Ａｌａ−Ｖａｌ−Ｌｅｕ−Ｌｙｓ−Ｖａｌ−Ｌｅｕ−ＮＨ2、Ｉｌｅ−Ｌｅｕ−Ｐｒｏ−Ｔｒｐ−Ｌｙｓ−Ｔｒｐ−Ｐｒｏ−Ｔｒｐ−Ｔｒｐ−Ｐｒｏ−Ｔｒｐ−Ａｒｇ−Ａｒｇ−ＣＯＯＨ、及びＩｌｅ−Ｌｅｕ−Ｐｒｏ−Ｔｒｐ−Ｌｙｓ−Ｔｒｐ−Ｐｒｏ−Ｔｒｐ−Ｔｒｐ−Ｐｒｏ−Ｔｒｐ−Ａｒｇ−Ａｒｇ−ＮＨ2からなる群より選択される、眼用デバイス。
【請求項２】
眼用デバイスが、高分子電解質ＬｂＬコーティング及び１以上の抗菌性ペプチドのペプチド層を含み、
高分子電解質ＬｂＬコーティングが、
（ｉ）第一のポリイオン材料の少なくとも１の層、又は
（ii）第一のポリイオン材料の少なくとも１の層及び第一のポリイオン材料の電荷と反対の電荷を有する第二のポリイオン材料の少なくとも１の層からなり、
前記第一及び第二のポリイオン材料が、互いに独立に、反応部位を提供する官能基を有し、かつ１以上の抗菌性ペプチドのペプチド層が、反応部位を介してＬｂＬコーティングに共有結合している、
請求項１記載の眼用デバイス。
【請求項３】
第一及び第二のポリイオン材料の一方がポリアニオン材料であり、他方がポリカチオン材料であり、ポリアニオン材料が、ポリアクリル酸、ポリメタクリル酸、ポリ（チオフェン−３−酢酸）、ポリ（４−スチレンスルホン酸）、ＰＡＭＡＭデンドリマー、ＰＡＡｍ−ｃｏ−ＰＡＡ、ＰＶＰ−ｃｏ−ＰＡＡ、ヒアルロン酸、グリコサミノグリカン、フコイダン、ポリアスパラギン酸、ポリグルタミン酸、カルボキシメチルセルロース、カルボキシメチルデキストラン、アルギネート、ペクチン、ゲラン、カルボキシアルキルキチン、カルボキシメチルキトサン、硫酸化多糖、それらの誘導体及びそれらの混合物からなる群より選択され、ポリカチオン材料が、ポリ（塩酸アリルアミン）、ポリ（エチレンイミン）、ポリ（ビニルベンジルトリメチルアミン）、ポリアニリン、ポリピロール、ポリ（ピリジニウムアセチレン）、ポリクォート、ポリアミノアミド、ポリ−ε−リシン、アルブミン又はコラーゲン、アミノアルキル化多糖、それらの誘導体及びそれらの混合物からなる群より選択される、請求項２記載の眼用デバイス。
【請求項４】
眼用デバイスが、コンタクトレンズである、請求項３記載の眼用デバイス。
【請求項５】
コンタクトレンズが、ヒドロゲルコンタクトレンズである、請求項４記載のコンタクトレンズ。
【請求項６】
眼用デバイスが、正に荷電したポリイオン材料と１以上の抗菌性ペプチドとを含む混合物の１のカチオン層及び負に荷電したポリイオン材料の１のアニオン層からなる、少なくとも１の二重層を含む、請求項１記載の眼用デバイス。
【請求項７】
負に荷電したポリイオン材料が、ポリアクリル酸、ポリメタクリル酸、ポリ（チオフェン−３−酢酸）、ポリ（４−スチレンスルホン酸）、ＰＡＭＡＭデンドリマー、ＰＡＡｍ−ｃｏ−ＰＡＡ、ＰＶＰ−ｃｏ−ＰＡＡ、ヒアルロン酸、グリコサミノグリカン、フコイダン、ポリアスパラギン酸、ポリグルタミン酸、カルボキシメチルセルロース、カルボキシメチルデキストラン、アルギネート、ペクチン、ゲラン、カルボキシアルキルキチン、カルボキシメチルキトサン、硫酸化多糖、それらの誘導体及びそれらの混合物からなる群より選択され、正に荷電したポリイオン材料が、ポリ（塩酸アリルアミン）、ポリ（エチレンイミン）、ポリ（ビニルベンジルトリメチルアミン）、ポリアニリン、ポリピロール、ポリ（ピリジニウムアセチレン）、ポリクォート、ポリアミノアミド、ポリ−ε−リシン、アルブミン又はコラーゲン、アミノアルキル化多糖、それらの誘導体及びそれらの混合物からなる群より選択される、請求項６記載の眼用デバイス。
【請求項８】
眼用デバイスが、コンタクトレンズである、請求項７記載の眼用デバイス。
【請求項９】
コンタクトレンズが、ヒドロゲルコンタクトレンズである、請求項８記載のコンタクトレンズ。
【請求項１０】
抗菌性ＬｂＬコーティングを有する眼用デバイスの製造方法であって、
（ａ）ＬｂＬコーティングを眼用デバイスの表面に適用する工程
（ここで、ＬｂＬコーティングが、眼用デバイスに共有結合しておらず、かつ、
（ｉ）眼用デバイスの表面に共有結合していない第一のポリイオン材料の少なくとも１の層、又は
（ii）眼用デバイスの表面に共有結合していない第一のポリイオン材料の少なくとも１の層及び第一のポリイオン材料の電荷と反対の電荷を有する第二のポリイオン材料の少なくとも１の層からなり、
前記第一及び第二のポリイオン材料が、互いに独立に、反応部位を提供する官能基を有する）；及び
（ｂ）１以上の抗菌性ペプチドの層を、前記反応部位を介してＬｂＬコーティングに共有結合させる工程、
を含み、
前記１以上の抗菌性ペプチドが、Ｌｙｓ−Ｔｒｐ−Ｌｙｓ−Ｌｅｕ−Ｐｈｅ−Ｌｙｓ−Ｌｙｓ−Ｉｌｅ−Ｇｌｙ−Ａｌａ−Ｖａｌ−Ｌｅｕ−Ｌｙｓ−Ｖａｌ−Ｌｅｕ−ＣＯＯＨ、Ｌｙｓ−Ｔｒｐ−Ｌｙｓ−Ｌｅｕ−Ｐｈｅ−Ｌｙｓ−Ｌｙｓ−Ｉｌｅ−Ｇｌｙ−Ａｌａ−Ｖａｌ−Ｌｅｕ−Ｌｙｓ−Ｖａｌ−Ｌｅｕ−ＮＨ2、Ｉｌｅ−Ｌｅｕ−Ｐｒｏ−Ｔｒｐ−Ｌｙｓ−Ｔｒｐ−Ｐｒｏ−Ｔｒｐ−Ｔｒｐ−Ｐｒｏ−Ｔｒｐ−Ａｒｇ−Ａｒｇ−ＣＯＯＨ、及びＩｌｅ−Ｌｅｕ−Ｐｒｏ−Ｔｒｐ−Ｌｙｓ−Ｔｒｐ−Ｐｒｏ−Ｔｒｐ−Ｔｒｐ−Ｐｒｏ−Ｔｒｐ−Ａｒｇ−Ａｒｇ−ＮＨ2からなる群より選択される、眼用デバイス。
【請求項１１】
適用工程が、浸漬コーティング工程のみ、吹き付けコーティング工程のみ、又はそれらの組み合わせにより行われる、請求項１０記載の方法。
【請求項１２】
ポリカチオン材料と、Ｌｙｓ−Ｔｒｐ−Ｌｙｓ−Ｌｅｕ−Ｐｈｅ−Ｌｙｓ−Ｌｙｓ−Ｉｌｅ−Ｇｌｙ−Ａｌａ−Ｖａｌ−Ｌｅｕ−Ｌｙｓ−Ｖａｌ−Ｌｅｕ−ＣＯＯＨ、Ｌｙｓ−Ｔｒｐ−Ｌｙｓ−Ｌｅｕ−Ｐｈｅ−Ｌｙｓ−Ｌｙｓ−Ｉｌｅ−Ｇｌｙ−Ａｌａ−Ｖａｌ−Ｌｅｕ−Ｌｙｓ−Ｖａｌ−Ｌｅｕ−ＮＨ2、Ｉｌｅ−Ｌｅｕ−Ｐｒｏ−Ｔｒｐ−Ｌｙｓ−Ｔｒｐ−Ｐｒｏ−Ｔｒｐ−Ｔｒｐ−Ｐｒｏ−Ｔｒｐ−Ａｒｇ−Ａｒｇ−ＣＯＯＨ、及びＩｌｅ−Ｌｅｕ−Ｐｒｏ−Ｔｒｐ−Ｌｙｓ−Ｔｒｐ−Ｐｒｏ−Ｔｒｐ−Ｔｒｐ−Ｐｒｏ−Ｔｒｐ−Ａｒｇ−Ａｒｇ−ＮＨ2からなる群より選択される少なくとも１の抗菌性ペプチドとを含む混合物の正に荷電した１の層及びポリアニオン材料の負に荷電した１の層を、眼用デバイス上に交互に適用して、抗菌性ＬｂＬコーティングを形成する工程を含む、抗菌性ＬｂＬコーティングを有する眼用デバイスの製造方法。
【請求項１３】
適用工程が、浸漬コーティング工程のみ、吹き付けコーティング工程のみ、又はそれらの組み合わせにより行われる、請求項１２記載の方法。